(57)【要約】【課題】  改修マンコンベヤの水平面部の長さを、既存マンコンベヤの水平面部の長さよりも、長くすることができるマンコンベヤの製造方法を提供する。【解決手段】  マンコンベヤの製造方法は、既存マンコンベヤの一部を更新することによって、改修マンコンベヤを製造するマンコンベヤの製造方法であって、改修マンコンベヤの水平ガイド部の長さは、既存マンコンベヤの水平ガイド部の長さよりも、長い。【選択図】  図８
2020125199.tif 000002
【特許請求の範囲】
【請求項１】
既存マンコンベヤの一部を更新することによって、改修マンコンベヤを製造するマンコンベヤの製造方法であって、
それぞれの前記マンコンベヤは、人に乗られる踏面部を有する複数のステップと、前記ステップをガイドするガイド部と、前記ステップを上方から覆うように配置され、乗降部の床を構成する床プレート部と、を備え、
前記ガイド部は、前記ステップが前記床プレート部と隣接する位置で水平方向に走行するように、前記ステップをガイドする水平ガイド部を備え、
前記改修マンコンベヤの前記水平ガイド部の長さは、前記既存マンコンベヤの前記水平ガイド部の長さよりも、長い、マンコンベヤの製造方法。
【請求項２】
前記ガイド部は、前記ステップが水平方向に対して傾斜する方向に走行するように、前記ステップをガイドする傾斜ガイド部と、前記傾斜ガイド部と前記水平ガイド部との間に配置される湾曲ガイド部と、を備え、
前記改修マンコンベヤの前記湾曲ガイド部の曲率半径は、前記既存マンコンベヤの前記湾曲ガイド部の曲率半径よりも、小さい、請求項１に記載のマンコンベヤの製造方法。
【請求項３】
前記改修マンコンベヤの前記床プレート部の位置は、前記既存マンコンベヤの前記床プレート部の位置と、同じある、請求項２に記載のマンコンベヤの製造方法。
【発明の詳細な説明】
【技術分野】
【０００１】
本発明は、マンコンベヤの製造方法に関する。
【背景技術】
【０００２】
従来、例えば、マンコンベヤは、人に乗られる踏面部を有する複数のステップと、乗降部の床を構成するために、ステップを上方から覆うように配置される床プレート部とを備えている。そして、ステップが、床プレート部と隣接する位置（手前又は奥）で、水平方向に走行しているため、複数のステップの踏面部によって水平面部が形成される。これにより、水平面部と床プレート部との間の乗り移りが容易となる。
【０００３】
ところで、従来、例えば、既存マンコンベヤの一部を更新することによって、改修マンコンベヤを製造する場合がある（例えば、特許文献１）。このとき、改修マンコンベヤの水平面部の長さを、既存マンコンベヤの水平面部の長さよりも、長くしたいという要望がある。
【先行技術文献】
【特許文献】
【０００４】
【特許文献１】特開２００８−２８５２４４号公報
【発明の概要】
【発明が解決しようとする課題】
【０００５】
そこで、課題は、改修マンコンベヤの水平面部の長さを、既存マンコンベヤの水平面部の長さよりも、長くすることができるマンコンベヤの製造方法を提供することである。
【課題を解決するための手段】
【０００６】
マンコンベヤの製造方法は、既存マンコンベヤの一部を更新することによって、改修マンコンベヤを製造するマンコンベヤの製造方法であって、それぞれの前記マンコンベヤは、人に乗られる踏面部を有する複数のステップと、前記ステップをガイドするガイド部と、前記ステップを上方から覆うように配置され、乗降部の床を構成する床プレート部と、を備え、前記ガイド部は、前記ステップが前記床プレート部と隣接する位置で水平方向に走行するように、前記ステップをガイドする水平ガイド部を備え、前記改修マンコンベヤの前記水平ガイド部の長さは、前記既存マンコンベヤの前記水平ガイド部の長さよりも、長い。
【０００７】
また、マンコンベヤの製造方法においては、前記ガイド部は、前記ステップが水平方向に対して傾斜する方向に走行するように、前記ステップをガイドする傾斜ガイド部と、前記傾斜ガイド部と前記水平ガイド部との間に配置される湾曲ガイド部と、を備え、前記改修マンコンベヤの前記湾曲ガイド部の曲率半径は、前記既存マンコンベヤの前記湾曲ガイド部の曲率半径よりも、小さい、という方法でもよい。
【０００８】
また、マンコンベヤの製造方法においては、記改修マンコンベヤの前記床プレート部の位置は、前記既存マンコンベヤの前記床プレート部の位置と、同じである、という方法でもよい。
【図面の簡単な説明】
【０００９】
【図１】図１は、一実施形態に係るマンコンベヤの概要図である。
【図２】図２は、同実施形態に係るステップの斜視図である。
【図３】図３は、同実施形態に係るステップの正面図である。
【図４】図４は、同実施形態に係るステップの要部側面図である。
【図５】図５は、同実施形態に係る既設マンコンベヤの要部概要図である。
【図６】図６は、図５のガイド部を抽出した図である。
【図７】図７は、同実施形態に係る改修マンコンベヤの要部概要図である。
【図８】図８は、図７のガイド部を抽出した図である。
【発明を実施するための形態】
【００１０】
以下、マンコンベヤの製造方法における一実施形態について、図１〜図８を参照しながら説明する。なお、各図において、図面の寸法比と実際の寸法比とは、必ずしも一致しておらず、また、各図面の間での寸法比も、必ずしも一致していない。
【００１１】
図１に示すように、マンコンベヤ１は、躯体に固定される構造部２と、人を搬送する搬送部３と、搬送部３を第１方向Ｄ１で挟むように配置される一対の欄干部１ａ，１ａ（図１においては、一つのみを図示している）とを備えている。また、マンコンベヤ１は、搬送部３及び欄干部１ａ（手摺ベルト）を駆動させる駆動部４を備えている。
【００１２】
なお、第１方向Ｄ１は、水平方向であって、幅方向Ｄ１といい、第２方向Ｄ２は、水平方向で且つ幅方向Ｄ１と直交する方向であって、前後方向Ｄ２といい、第３方向Ｄ３は、鉛直方向であって、上下方向Ｄ３という。第４方向Ｄ４は、搬送部３が人を搬送する方向であって、水平方向Ｄ２に対して傾斜する傾斜方向（「搬送方向」ともいう）Ｄ４という。なお、第２〜第４方向Ｄ２〜Ｄ４は、それぞれ所定の同一仮想面に含まれる方向であって、第１方向Ｄ１は、当該仮想面に対して直交する方向である。
【００１３】
また、本実施形態に係るマンコンベヤ１は、人を搬送するために、踏面が階段状になるエスカレータであるが、斯かる構成に限られない。例えば、マンコンベヤ１は、人を傾斜方向Ｄ４に搬送するために、踏面が平面状となる移動歩道（動く歩道）であってもよい。
【００１４】
構造部２は、上下階の間に掛け渡されるようにして、躯体に固定されている。また、構造部２は、上方の端部と下方の端部とに、それぞれ機械室２ａ，２ｂを備えている。具体的には、構造部２は、マンコンベヤ１の各乗降部１ｂの下方に、機械室２ａ，２ｂを備えている。そして、構造部２は、各構成１ａ，３，４を支持している。なお、構造部２の構成は、特に限定されないが、例えば、構造部２は、トラス構造又はケタ構造とすることができる。
【００１５】
搬送部３は、無端回転する環状の走行部３ａと、走行部３ａに対して回転可能に接続され、人が乗る踏面を有する複数のステップ５とを備えている。走行部３ａは、幅方向Ｄ１に離れて一対設けられている（図１においては、一つのみ図示している）。そして、複数のステップ５は、一対の走行部３ａ，３ａの間に配置され、それぞれの走行部３ａに対して回転可能に接続されている。
【００１６】
駆動部４は、ステップ５が反転するように、走行部３ａが巻き掛けられる一対の回転部（例えば、スプロケット）４ａ，４ａと、回転部４ａを回転させる駆動源（例えば、モータ）４ｂとを備えている。そして、上方の回転部４ａ及び駆動源４ｂは、上方の機械室２ａに収容されており、下方の回転部４ａは、下方の機械室２ｂに収容されている。なお、回転部４ａは、構造部２に回転可能に接続されている。
【００１７】
また、マンコンベヤ１は、各乗降部１ｂの床を構成する床プレート部１ｃを備えている。床プレート部１ｃは、構造部２の上に載せられており、構造部２に支持されている。そして、床プレート部１ｃは、各機械室２ａ，２ｂを上方から覆うように、配置されている。これにより、床プレート部１ｃは、ステップ５を上方から覆うように、配置されている。なお、床プレート部１ｃは、例えば、フロアプレート（ライディングプレート）と、端部にコムが取り付けられたコムプレートとを含んでいる。
【００１８】
また、ステップ５は、所定の走行経路を走行する。具体的には、ステップ５は、人を搬送するための搬送経路と、搬送経路よりも下方の経路であって、搬送経路に戻るための戻り経路と、走行経路の各端部の経路であって、搬送経路から戻り経路へ（又は、戻り経路から搬送経路へ）反転する反転経路と、を走行する。そして、ステップ５は、搬送経路を走行する際に、構造部２から露出して走行する。一方で、ステップ５は、反転経路及び戻り経路を走行する際に、構造部２の内部を走行する。
【００１９】
ところで、ステップ５における幅方向Ｄ１は、ステップ５の位置（搬送経路、戻り経路、反転経路）に関わらず一定であるが、ステップ５におけるそれ以外の方向Ｄ２〜Ｄ４は、ステップ５の位置によって変わる。そこで、本明細書及び各図において、ステップ５における各方向Ｄ２〜Ｄ４は、ステップ５が搬送経路に位置する際の、各方向Ｄ２〜Ｄ４を使用する。
【００２０】
図２〜図４に示すように、搬送部３は、一対の走行部３ａ，３ａにそれぞれ連結される連結軸３ｂを備えており、ステップ５は、連結軸３ｂに回転可能に連結されている。これにより、ステップ５は、走行部３ａに対して回転可能に接続されている。なお、走行部３ａの構成は、特に限定されないが、本実施形態においては、走行部３ａは、チェーン３ｃと、チェーン３ｃに回転可能に接続される第１ローラ３ｄとを備えている。
【００２１】
ステップ５は、ステップ本体５ａと、ステップ本体５ａに回転可能に接続される第２ローラ５ｂとを備えている。ステップ本体５ａは、人に乗られる踏面部５ｃと、湾曲状に形成される蹴上部５ｄと、搬送部３の連結軸３ｂに回転可能に連結される連結部５ｅとを備えている。
【００２２】
なお、マンコンベヤ１は、ステップ５が走行経路を走行するように、ステップ５をガイドするガイド部６，７を備えている。具体的には、マンコンベヤ１は、第１ローラ３ｄをガイドする第１ガイド部６と、第２ローラ５ｂをガイドする第２ガイド部７とを備えている。そして、第１ガイド部６及び第２ガイド部７は、構造部２（図１参照）に固定されている。
【００２３】
図５及び図６に示すように、各ガイド部６，７は、ステップ５が搬送経路を走行するように、ステップ５をガイドする搬送ガイド部６ａ，７ａと、ステップ５が戻り経路を走行するように、ステップ５をガイドする戻りガイド部６ｂ，７ｂとを備えている。なお、第２ガイド部７は、ステップ５が反転経路を走行するように、ステップ５をガイドする反転ガイド部７ｃを備えている。
【００２４】
各ガイド部６，７の搬送ガイド部６ａ，７ａは、ステップ５が床プレート部１ｃと隣接する位置で水平方向（前後方向）Ｄ２に走行するように、ステップ５をガイドする水平ガイド部６ｄ，７ｄを備えている。これにより、ステップ５が水平方向（前後方向）Ｄ２に走行しているため、床プレート部１ｃと隣接する位置に、複数のステップ５の踏面部５ｃによって水平面部１ｄが形成される。
【００２５】
また、各ガイド部６，７の搬送ガイド部６ａ，７ａは、ステップ５が傾斜方向Ｄ４に走行するように、ステップ５をガイドする傾斜ガイド部６ｅ，７ｅと、傾斜ガイド部６ｅ，７ｅと水平ガイド部６ｄ，７ｄとの間に配置される湾曲ガイド部６ｆ，７ｆと、を備えている。なお、図示していないが、傾斜ガイド部６ｅ，７ｅ及び湾曲ガイド部６ｆ，７ｆは、マンコンベヤ１の下方側にも備えられている。
【００２６】
図５及び図６（図７及び図８も同様）において、第２ガイド部７の傾斜ガイド部７ｅは、第１ガイド部６の傾斜ガイド部６ｅと重なっている。また、図６（図８も同様）において、点Ｐ１は、第１ガイド部６の水平ガイド部６ｄと湾曲ガイド部６ｆとの境界を示し、点Ｐ２は、第１ガイド部６の湾曲ガイド部６ｆと傾斜ガイド部６ｅとの境界を示している。
【００２７】
点Ｐ３は、第２ガイド部７の水平ガイド部７ｄと湾曲ガイド部７ｆとの境界を示し、点Ｐ４は、第２ガイド部７の湾曲ガイド部７ｆと傾斜ガイド部７ｅとの境界を示している。点Ｐ５は、第２ガイド部７の搬送ガイド部７ａ（水平ガイド部７ｄ）と反転ガイド部７ｃとの境界を示し、点Ｐ６は、第２ガイド部７の反転ガイド部７ｃと戻りガイド部７ｂとの境界を示している。
【００２８】
ここで、既存マンコンベヤ１から、改修マンコンベヤ１を製造する方法を、図５〜図８を参照しながら説明する。なお、図５及び図６は、既設マンコンベヤ１を示しており、図７及び図８は、改修マンコンベヤ１を示している。
【００２９】
図５及び図６に示すような既存マンコンベヤ１の一部を更新することによって、図７及び図８に示すような改修マンコンベヤ１を製造する。既存マンコンベヤ１の更新する部材は、第１及び第２ガイド部６，７の少なくとも一方を含んでいれば、特に限定されない。例えば、既存マンコンベヤ１の構造部２を除く部材を更新してもよく、また、例えば、第１及び第２ガイド部６，７のみを更新してもよい。
【００３０】
そして、改修マンコンベヤ１の各水平ガイド部６ｄ，７ｄの長さＷ１，Ｗ２は、既存マンコンベヤ１の各水平ガイド部６ｄ，７ｄの長さＷ３，Ｗ４よりも、それぞれ長くなっている（Ｗ１＞Ｗ３、Ｗ２＞Ｗ４）。これにより、改修マンコンベヤ１の水平面部１ｄの長さＷ５は、既存マンコンベヤ１の水平面部１ｄの長さＷ６よりも、長くなっている。
【００３１】
ところで、一般的に、構造部２は、更新されることなく、再利用される。そこで、改修マンコンベヤ１の各湾曲ガイド部６ｆ，７ｆの曲率半径Ｒ１，Ｒ２は、既存マンコンベヤ１の各湾曲ガイド部６ｆ，７ｆの曲率半径Ｒ３，Ｒ４よりも、それぞれ小さくなっている。
【００３２】
これにより、水平ガイド部６ｄ，７ｄの長さＷ１〜Ｗ４が変化したにも関わらず、既存マンコンベヤ１の回転部４ａの位置と、改修マンコンベヤ１の回転部４ａの位置とが、同じとなっている。したがって、構造部２、具体的には、機械室２ａを改修・更新（拡張）することなく、改修マンコンベヤ１の水平面部１ｄの長さＷ５を、既存マンコンベヤ１の水平面部１ｄの長さＷ６よりも、長くすることができている。
【００３３】
しかも、既存マンコンベヤ１の床プレート部１ｃの位置と、改修マンコンベヤ１の床プレート部１ｃの位置とは、同じである。具体的には、既存マンコンベヤ１の床プレート部１ｃの端部１ｅの位置と、改修マンコンベヤ１の床プレート部１ｃの端部１ｅの位置とは、同じである。
【００３４】
なお、図示していないが、床プレート部１ｃの端部１ｅには、コム（櫛状に形成される部材）が設けられている。また、既存マンコンベヤ１の各部１ｃ，１ｅ，４ａの位置と、改修コンベヤ１の各部１ｃ，１ｅ，４ａの位置とが「同じ」であるとは、完全に同じである場合だけでなく、１５０ｍｍ以内のズレ、好ましくは、５０ｍｍ以内のズレを有するような、略同じである場合も含む。
【００３５】
以上より、本実施形態に係るマンコンベヤ１の製造方法は、既存マンコンベヤ１の一部を更新することによって、改修マンコンベヤ１を製造するマンコンベヤ１の製造方法であって、それぞれの前記マンコンベヤ１は、人に乗られる踏面部５ｃを有する複数のステップ５と、前記ステップ５をガイドするガイド部６，７と、前記ステップ５を上方から覆うように配置され、乗降部１ｂの床を構成する床プレート部１ｃと、を備え、前記ガイド部６，７は、前記ステップ５が前記床プレート部１ｃと隣接する位置で水平方向Ｄ２に走行するように、前記ステップ５をガイドする水平ガイド部６ｄ，７ｄを備え、前記改修マンコンベヤ１の前記水平ガイド部６ｄ，７ｄの長さＷ１，Ｗ２は、前記既存マンコンベヤ１の前記水平ガイド部６ｄ，７ｄの長さＷ３，Ｗ４よりも、長い。
【００３６】
斯かる方法によれば、改修マンコンベヤ１の水平ガイド部６ｄ，７ｄの長さＷ１，Ｗ２は、既存マンコンベヤ１の水平ガイド部６ｄ，７ｄの長さＷ３，Ｗ４よりも、長くなる。これにより、改修マンコンベヤ１の水平面部１ｄの長さＷ５を、既存マンコンベヤ１の水平面部１ｄの長さＷ６よりも、長くすることができる。
【００３７】
また、本実施形態に係るマンコンベヤ１の製造方法においては、前記ガイド部６，７は、前記ステップ５が水平方向Ｄ２に対して傾斜する方向Ｄ４に走行するように、前記ステップ５をガイドする傾斜ガイド部６ｅ，７ｅと、前記傾斜ガイド部６ｅ，７ｅと前記水平ガイド部６ｄ，７ｄとの間に配置される湾曲ガイド部６ｆ，７ｆと、を備え、前記改修マンコンベヤ１の前記湾曲ガイド部６ｆ，７ｆの曲率半径Ｒ１，Ｒ２は、前記既存マンコンベヤ１の前記湾曲ガイド部６ｆ，７ｆの曲率半径Ｒ３，Ｒ４よりも、小さい。
【００３８】
斯かる方法によれば、改修マンコンベヤ１の湾曲ガイド部６ｆ，７ｆの曲率半径Ｒ１，Ｒ２は、既存マンコンベヤ１の湾曲ガイド部６ｆ，７ｆの曲率半径Ｒ３，Ｒ４よりも、小さくなる。これにより、改修マンコンベヤ１の水平ガイド部６ｄ，７ｄの長さＷ１，Ｗ２が、既存マンコンベヤ１の水平ガイド部６ｄ，７ｄの長さＷ３，Ｗ４よりも、長くなるにも関わらず、改修マンコンベヤ１の各部１ｃ，１ｅ，４ａの位置が既存マンコンベヤ１の各部１ｃ，１ｅ，４ａの位置から大きく変わることを抑制することができる。
【００３９】
また、本実施形態に係るマンコンベヤ１の製造方法においては、前記改修マンコンベヤ１の前記床プレート部１ｃの位置は、前記既存マンコンベヤ１の前記床プレート部１ｃの位置と、同じある。
【００４０】
斯かる方法によれば、改修マンコンベヤ１の床プレート部１ｃは、既存マンコンベヤ１の床プレート部１ｃの位置と同じ位置に、設置される。これにより、改修マンコンベヤ１の床プレート部１ｃの位置が既存マンコンベヤ１の床プレート部１ｃの位置から変わることを防止することができる。
【００４１】
なお、マンコンベヤ１及びその製造方法は、上記した実施形態の構成に限定されるものではなく、また、上記した作用効果に限定されるものではない。また、マンコンベヤ１及びその製造方法は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４２】
（１）上記実施形態に係るマンコンベヤ１の製造方法においては、改修マンコンベヤ１の湾曲ガイド部６ｆ，７ｆの曲率半径Ｒ１，Ｒ２は、既存マンコンベヤ１の湾曲ガイド部６ｆ，７ｆの曲率半径Ｒ３，Ｒ４よりも、小さい。しかしながら、マンコンベヤ１の製造方法は、斯かる構成に限られない。例えば、改修マンコンベヤ１の湾曲ガイド部６ｆ，７ｆの曲率半径Ｒ１，Ｒ２は、既存マンコンベヤ１の湾曲ガイド部６ｆ，７ｆの曲率半径Ｒ３，Ｒ４と、同じでもよい。
【００４３】
（２）また、上記実施形態に係るマンコンベヤ１の製造方法においては、既存マンコンベヤ１の床プレート部１ｃの位置と、改修マンコンベヤ１の床プレート部１ｃとの位置は、同じである。しかしながら、マンコンベヤ１の製造方法は、斯かる構成に限られない。例えば、既存マンコンベヤ１の床プレート部１ｃの位置と、改修マンコンベヤ１の床プレート部１ｃとの位置は、異なっていてもよい。
【符号の説明】
【００４４】
１…マンコンベヤ、１ａ…欄干部、１ｂ…乗降部、１ｃ…床プレート部、１ｄ…水平面部、１ｅ…端部、２…構造部、２ａ…機械室、２ｂ…機械室、３…搬送部、３ａ…走行部、３ｂ…連結軸、３ｃ…チェーン、３ｄ…第１ローラ、４…駆動部、４ａ…回転部、４ｂ…駆動源、５…ステップ、５ａ…ステップ本体、５ｂ…第２ローラ、５ｃ…踏面部、５ｄ…蹴上部、５ｅ…連結部、６…第１ガイド部、６ａ…搬送ガイド部、６ｂ…戻りガイド部、６ｄ…水平ガイド部、６ｅ…傾斜ガイド部、６ｆ…湾曲ガイド部、７…第２ガイド部、７ａ…搬送ガイド部、７ｂ…戻りガイド部、７ｃ…反転ガイド部、７ｄ…水平ガイド部、７ｅ…傾斜ガイド部、７ｆ…湾曲ガイド部、Ｄ１…幅方向、Ｄ２…前後方向（水平方向）、Ｄ３…上下方向、Ｄ４…傾斜方向
【図１】
2020125199.tif 000003
【図２】
2020125199.tif 000004
【図３】
2020125199.tif 000005
【図４】
2020125199.tif 000006
【図５】
2020125199.tif 000007
【図６】
2020125199.tif 000008
【図７】
2020125199.tif 000009
【図８】
2020125199.tif 000010